(57)【要約】      （修正有）【課題】全体分解可能な組立水鉄砲傘を提供する。【解決手段】水鉄砲部品１と、接続コンポーネントと、傘骨部品３と傘布を含む。接続コンポーネントは中棒の上端に設けられた上ろくろ２１と、上ろくろに接続された上ろくろ接続盤と、中棒が挿通されており摺動自由な下ろくろ２３と、下ろくろに接続された下ろくろ接続盤を含み、上ろくろに中棒の中まで延伸する出水通路があり、出水通路には少なくとも１ペアの切口があり、且つ、中棒に切口と当接する上ストッパーが設けられ、傘布は取り外し自由に親骨３１と接続している。全体分解可能な組立水鉄砲傘の各部品は分割、組立でき、使用する時はニーズによって水鉄砲で遊び、傘を組み立て、傘布にＤＩＹの絵を描くまたは傘布を交換するなどのことができ、多種の興趣性モデルがあり、且つ、接続コンポーネントで水鉄砲部品と傘骨部品を組み立てることで、部品の取り付けが簡単になり、総体の組み立てが一層便利、安全になり、子供の使用に向いている。【選択図】図１
0003212669.tif 000002
【実用新案登録請求の範囲】
【請求項１】
水鉄砲部品、接続コンポーネント、傘骨部品と傘布を含む全体分解可能な組立水鉄砲傘であって、前記水鉄砲部品は中空の中棒、中棒の中に差し入れるピストン棒、ピストン棒の上端に設けられて中棒の内壁とフィットするピストン体、ピストン棒の下端に設けられて中棒から外に露出する水鉄砲のグリップを含み、
前記接続コンポーネントは中棒の上端に設けられた上ろくろと、上ろくろに接続された上ろくろ接続盤と、中棒が挿通されており摺動自由な下ろくろと、下ろくろに接続された下ろくろ接続盤を含み、前記上ろくろには中棒の中まで延伸する出水通路があり、前記延伸段には少なくとも1ペアの切口があり、且つ、中棒に前記切口と当接する上ストッパーが設けられ、前記傘骨部品は数本の親骨と受骨を含み、前記親骨の一端は上ろくろ接続盤と取り外し自由に接続している固定端であり、もう一端は自由端であり、前記受骨の両端をそれぞれ下ろくろ接続盤と親骨とピン接合していて、前記傘布は取り外し自由に親骨と接続している、ことを特徴とする全体分解可能な組立水鉄砲傘。
【請求項２】
前記水鉄砲部品はさらに中棒の尾端と接続している取り外し自由な中棒ハンドルを含み、前記中棒ハンドルは中空構造であり、且つ、水鉄砲のグリップ部分を中棒ハンドルに差し入れることを特徴とする請求項１に記載の全体分解可能な組立水鉄砲傘。
【請求項３】
前記中棒ハンドルに中棒の中まで延伸する挿し接ぎ段を有し、前記挿し接ぎ段に少なくとも1ペアの切口を有し、且つ中棒に前記切口と当接する下ストッパーが設けられることを特徴とする請求項２に記載の全体分解可能な組立水鉄砲傘。
【請求項４】
前記ピストン体と中棒内壁の間に第一パッキン輪が設けられ、上ろくろの出水通路と中棒内壁の間に第二パッキン輪が設けられることを特徴とする請求項１に記載の全体分解可能な組立水鉄砲傘。
【請求項５】
前記接続コンポーネントはさらに石突きを含み、前記上ろくろの一端は中棒の中までに延伸し、もう一端は取り外し自由に石突きと接続し、前記石突きの先端に噴水孔が設けられることを特徴とする請求項１に記載の全体分解可能な組立水鉄砲傘。
【請求項６】
前記上ろくろと石突きの間に第三パッキン輪が設けられることを特徴とする請求項５に記載の全体分解可能な組立水鉄砲傘。
【請求項７】
前記上ろくろ接続盤は第一上盤と第一下盤を含み、前記第一上盤と第一下盤を上溝とネジ接続し、且つ第一上盤、第一下盤にそれぞれ傘骨の取付け溝が設けられることを特徴とする請求項１に記載の全体分解可能な組立水鉄砲傘。
【請求項８】
前記下ろくろ接続盤は第二上盤と第二下盤を含み、前記第二上盤と第二下盤を下ろくろとネジ接続し、且つ第二上盤、第二下盤にそれぞれ受骨の取付け溝が設けられることを特徴とする請求項１又は７に記載の全体分解可能な組立水鉄砲傘。
【請求項９】
前記上ろくろと上ろくろ接続盤を一体成形していることを特徴とする請求項１に記載の全体分解可能な組立水鉄砲傘。
【請求項１０】
前記下ろくろと下ろくろ接続盤を一体成形していることを特徴とする請求項１又は９に記載の全体分解可能な組立水鉄砲傘。
【考案の詳細な説明】
【技術分野】
【０００１】
本考案は傘の製造技術分野に関し、特に、全体分解可能な組立水鉄砲傘に関する。
【従来の技術】
【０００２】
現有の傘は通常雨よけ又は日よけの機能が果たせるが、もし子供の遊びが好きな天性と結合し、雨の日でも遊べる傘が開発できれば、子供が雨の日に、室外活動で遊びたいニーズが満足され、子供心理の養成に対して前向きな意義がある。
【０００３】
前記問題を解決するため、公告番号CN201782163Uにスプレーガンの傘が公開され、それは傘の手元と傘の手元に設置された傘骨を含み、前記傘の手元は移動自由な手元と固定手元を含み、移動自由な手元の一端は固定手元の中に嵌められ、固定手元にゴムプランジャーを有し、固定手元の先端に噴水孔が設置されている。現有のスプレーガンの傘は伝統的な構造であり、中棒部しか改善されていないので、全体的な構造が複雑であったり、機能が単一であったり、興趣性が高くないことで、更なる改善が必要である。
【考案の概要】
【考案が解決しようとする課題】
【０００４】
従来技術における不足を克服するために、本考案は全体分解可能な組立水鉄砲傘を提供する。
【課題を解決するための手段】
【０００５】
前述の目的を実現するために、本考案は以下の技術方案を使用する。全体分解可能な組立水鉄砲傘は、水鉄砲部品、接続コンポーネント、傘骨部品と傘布を含み、前記水鉄砲部品は中空の中棒、中棒の中に差し入れるピストン棒、ピストン棒の上端に設けられて中棒の内壁とフィットするピストン体、ピストン棒の下端に設けられて中棒から外に露出する水鉄砲のグリップを含み、前記接続コンポーネントは中棒の上端に設けられた上ろくろと、上ろくろに接続された上ろくろ接続盤と、中棒が挿通されており摺動自由な下ろくろと、下ろくろに接続された下ろくろ接続盤を含み、前記上ろくろに中棒の中まで延伸する出水通路を有し、前記延伸段には少なくとも1ペアの切口があり、且つ、中棒に前記切口と当接する上ストッパーが設けられ、前記傘骨部品は数本の親骨と受骨を含み、前記親骨の一端は上ろくろ接続盤と取り外し自由に接続している固定端であり、もう一端は自由端であり、前記受骨の両端をそれぞれ下ろくろ接続盤と親骨とピン接合し、前記傘布は取り外し自由に親骨と接続していることを特徴とする。
【０００６】
好ましくは、水鉄砲部品はさらに中棒の尾端と接続している取り外し自由な中棒ハンドルを含み、前記中棒ハンドルは中空構造で、且つ、水鉄砲のグリップ部を中棒ハンドルに差し入れる。
【０００７】
好ましくは、中棒ハンドルに中棒の中まで延伸する挿し接ぎ段を有し、前記挿し接ぎ段には少なくとも1ペアの切口があり、且つ中棒に前記切口と当接する下ストッパーが設けられる。
【０００８】
好ましくは、ピストン体と中棒内壁の間に第一パッキン輪が設けられ、上ろくろの出水通路と中棒内壁の間に第二パッキン輪が設けられる。
【０００９】
好ましくは、接続コンポーネントは石突きを含み、前記上ろくろの一端を中棒の中に差し入れ、もう一端は取り外し自由に石突きと接続し、前記石突きの先端に噴水孔が設けられる。
【００１０】
好ましくは、上ろくろと石突きの間に第三パッキン輪が設けられる。
【００１１】
好ましくは、上ろくろ接続盤は第一上盤と第一下盤を含み、前記第一上盤と第一下盤を上溝とネジ接続し、且つ第一上盤、第一下盤にそれぞれ傘骨の取付け溝が設けられる。
【００１２】
好ましくは、下ろくろ接続盤は第二上盤と第二下盤を含み、前記第二上盤と第二下盤を下ろくろとネジ接続し、且つ第二上盤、第二下盤にそれぞれ受骨の取付け溝が設けられる。
【００１３】
好ましくは、上ろくろと上ろくろ接続盤を一体成形している。
【００１４】
好ましくは、下ろくろと下ろくろ接続盤を一体成形している。
【考案の効果】
【００１５】
本考案に対する前述の説明によると、現有技術と比べ、本考案の全体分解可能な組立水鉄砲傘の水鉄砲部品、接続コンポーネント、傘骨部品と傘布は全て分割、組立でき、使用する時はニーズによって水鉄砲で遊び、傘を組み立て、傘布にＤＩＹの絵を描くまたは傘布を交換するなどのことができ、多種の興趣性モデルがあり、且つ、接続コンポーネントで水鉄砲部品と傘骨部品を組み立てることで、部品の取り付けが簡単になり、総体の組立てが一層便利、安全になり、子供の使用に向いている。
【図面の簡単な説明】
【００１６】
【図１】図１は実施例一の全体分解可能な組立水鉄砲傘の構造の見取り図である。
【図２】図２は実施例一の全体分解可能な組立水鉄砲傘の水鉄砲部品の構造の見取り図である。
【図３】図３は実施例一の全体分解可能な組立水鉄砲傘の上ろくろの構造の見取り図である。
【図４】図４は実施例一の全体分解可能な組立水鉄砲傘の水鉄砲グリップの構造の見取り図である。
【図５】図５は実施例一の全体分解可能な組立水鉄砲傘の接続の見取り図である。
【図６】図６は実施例一の全体分解可能な組立水鉄砲傘を開いた時の取り図である。
【図７】図７は実施例二の全体分解可能な組立水鉄砲傘の構造の見取り図である。
【考案を実施するための形態】
【００１７】
以下は具体的な実施方式に基づいて、本考案についてさらに説明する。
【００１８】
実施例一
図１から図６に示すように、全体分解可能な組立水鉄砲傘は水鉄砲部品１、接続コンポーネント２、傘骨部品３、傘布４とパッキン輪５を含む。
【００１９】
水鉄砲部品１は中棒１１、ピストン棒１２、ピストン体１３、水鉄砲のグリップ１４、中棒ハンドル１５を含み、中棒１１は中空構造であり、ピストン棒１２を中棒１１の中に差し入れ、ピストン体１３はピストン棒１２の上端に設けられて中棒１１の内壁とフィットし、水鉄砲のグリップ１４はピストン棒１２の下端に設けられて中棒１１から外に露出し、中棒１１のハンドルは中空構造であり、且つ水鉄砲のグリップ１４部分を中棒ハンドル１５に差し入れ、中棒ハンドル１５に中棒１１の中まで延伸する挿し接ぎ段１５１を有し、前記挿し接ぎ段１５１には少なくとも1ペアの切口１５２があり、且つ中棒１１に前記切口１５２と当接する下ストッパー１１１が設けられる。
【００２０】
接続コンポーネント２は上ろくろ２１と、上ろくろ接続盤２２と、下ろくろ２３と、下ろくろ接続盤２４と石突き２５を含み、前記上ろくろ２１は中棒１１の上端に設けられ、上ろくろ２１には中棒１１の中まで延伸する出水通路２１１があり、前記出水通路２１１には少なくとも1ペアの切口２１２があり、且つ、中棒１１に前記切口２１２と当接する上ストッパー１１２を有し、前記上ろくろ接続盤２２は第一上盤２２１と第一下盤２２２を含み、前記第一上盤２２１と第一下盤２２２を上溝２１とネジ接続し、且つ第一上盤２２１、第一下盤２２２にそれぞれ傘骨の取付け溝２２３が設けられ、前記下ろくろ２３は摺動自由に中棒１１に取り付けられ、下ろくろ接続盤２４は第二上盤２４１と第二下盤２４２を含み、前記第二上盤２４１と第二下盤２４２を下ろくろ２３とネジ接続し、且つ第二上盤２４１、第二下盤２４２にそれぞれ受骨の取付け溝２４３が設けられ、石突き２５は上ろくろ２１が中棒１１から露出する一端とネジ接続し、前記石突きの先端に噴水孔２５１が設けられる。
【００２１】
傘骨部品３は数本の親骨３１と受骨３２を含み、前記親骨３１の一端は上ろくろ接続盤２２と取り外し自由に接続している固定端３１１であり、もう一端は自由端３１２であり、前記受骨３２の両端はそれぞれ下ろくろ接続盤２３と親骨３１とピン接合している。
【００２２】
傘布４は取り外し自由に親骨３１と接続している。
【００２３】
パッキン輪５はピストン体１３と中棒１１内壁の間に設けられた第一パッキン輪５１、上ろくろ２１の出水通路２１１と中棒１１内壁の間に設けられた第二パッキン輪５２、及び、上ろくろ２１と石突き２５の間に設けられた第三パッキン輪５３を含む。
【００２４】
実施例二
図７に示すように、全体分解可能な組立水鉄砲傘は実施例一と同じな水鉄砲部品１、傘骨部品３、傘布４とパッキン輪５を含む。
【００２５】
さらに接続コンポーネント２ａを含み、前記接続コンポーネント２ａは上ろくろ２１ａ、上ろくろ接続盤２２ａ、下ろくろ２３ａ、下ろくろ接続盤２４ａと石突き２５ａを含み、内、上ろくろ２１ａと上ろくろ接続盤２２ａを一体成形し、下ろくろ２３ａと下ろくろ接続盤２４ａを一体成形し、他の部分は実施例一中の接続コンポーネント２ａと同じであるため、ここでは再度言及しないことにする。
【００２６】
前記は本実用考案のの一方進んだ説明であり、本考案の実施例に限定されるものではなく，当業者が、本考案の技術実質に基づき、前記実施例に対するいかなる簡単な修正、類似変化及び修飾は本考案技術案の保護範囲に属する。
【図１】
0003212669.tif 000003
【図２】
0003212669.tif 000004
【図３】
0003212669.tif 000005
【図４】
0003212669.tif 000006
【図５】
0003212669.tif 000007
【図６】
0003212669.tif 000008
【図７】
0003212669.tif 000009
【手続補正書】
【提出日】平成29年7月25日(2017.7.25)
【手続補正１】
【補正対象書類名】実用新案登録請求の範囲
【補正対象項目名】全文
【補正方法】変更
【補正の内容】
【実用新案登録請求の範囲】
【請求項１】
水鉄砲部品、接続コンポーネント、傘骨部品と傘布を含む全体分解可能な組立水鉄砲傘であって、前記水鉄砲部品は中空の中棒、中棒の中に差し入れるピストン棒、ピストン棒の上端に設けられて中棒の内壁とフィットするピストン体、ピストン棒の下端に設けられて中棒から外に露出する水鉄砲のグリップを含み、
前記接続コンポーネントは中棒の上端に設けられた上ろくろと、上ろくろに接続された上ろくろ接続盤と、中棒が挿通されており摺動自由な下ろくろと、下ろくろに接続された下ろくろ接続盤を含み、前記上ろくろには中棒の中まで延伸する出水通路があり、前記出水通路には少なくとも1ペアの切口があり、且つ、中棒に前記切口と当接する上ストッパーが設けられ、前記傘骨部品は数本の親骨と受骨を含み、前記親骨の一端は上ろくろ接続盤と取り外し自由に接続している固定端であり、もう一端は自由端であり、前記受骨の両端をそれぞれ下ろくろ接続盤と親骨とピン接合していて、前記傘布は取り外し自由に親骨と接続している、ことを特徴とする全体分解可能な組立水鉄砲傘。
【請求項２】
前記水鉄砲部品はさらに中棒の尾端と接続している取り外し自由な中棒ハンドルを含み、前記中棒ハンドルは中空構造であり、且つ、水鉄砲のグリップ部分を中棒ハンドルに差し入れることを特徴とする請求項１に記載の全体分解可能な組立水鉄砲傘。
【請求項３】
前記中棒ハンドルに中棒の中まで延伸する挿し接ぎ段を有し、前記挿し接ぎ段に少なくとも1ペアの切口を有し、且つ中棒に前記切口と当接する下ストッパーが設けられることを特徴とする請求項２に記載の全体分解可能な組立水鉄砲傘。
【請求項４】
前記ピストン体と中棒内壁の間に第一パッキン輪が設けられ、上ろくろの出水通路と中棒内壁の間に第二パッキン輪が設けられることを特徴とする請求項１に記載の全体分解可能な組立水鉄砲傘。
【請求項５】
前記接続コンポーネントはさらに石突きを含み、前記上ろくろの一端は中棒の中までに延伸し、もう一端は取り外し自由に石突きと接続し、前記石突きの先端に噴水孔が設けられることを特徴とする請求項１に記載の全体分解可能な組立水鉄砲傘。
【請求項６】
前記上ろくろと石突きの間に第三パッキン輪が設けられることを特徴とする請求項５に記載の全体分解可能な組立水鉄砲傘。
【請求項７】
前記上ろくろ接続盤は第一上盤と第一下盤を含み、前記第一上盤と第一下盤を上溝とネジ接続し、且つ第一上盤、第一下盤にそれぞれ傘骨の取付け溝が設けられることを特徴とする請求項１に記載の全体分解可能な組立水鉄砲傘。
【請求項８】
前記下ろくろ接続盤は第二上盤と第二下盤を含み、前記第二上盤と第二下盤を下ろくろとネジ接続し、且つ第二上盤、第二下盤にそれぞれ受骨の取付け溝が設けられることを特徴とする請求項１又は７に記載の全体分解可能な組立水鉄砲傘。
【請求項９】
前記上ろくろと上ろくろ接続盤を一体成形していることを特徴とする請求項１に記載の全体分解可能な組立水鉄砲傘。
【請求項１０】
前記下ろくろと下ろくろ接続盤を一体成形していることを特徴とする請求項１又は９に記載の全体分解可能な組立水鉄砲傘。